(57)【要約】【課題】ビデオカメラのユーザが撮影した映像コンテンツをカテゴリ毎の人気に応じて表示し、視聴者が所望の映像コンテンツを簡単に選択し得る、映像コンテンツ選択方法、動画配信サービスシステム、表示順位変更プログラムの提供。【解決手段】ビデオ映像投稿者４が投稿したビデオ映像は配信サービス事業者５又はビデオ配信用データ加工業者６で加工され、ストリーミングビデオ用の映像コンテンツデータとして生成し、サーバ１にアップロードする。視聴者が端末２を起動すると、カテゴリ別に配信回数の順に順序付けられた映像コンテンツ情報が表示される。視聴者が映像コンテンツ情報を選択すると、サーバ１は選択された映像コンテンツのコンテンツデータをその視聴者の端末２にインターネット３を介して配信する。【選択図】  図１
2004186830.tif 000002
【特許請求の範囲】
【請求項１】
ネットワークを介してサーバから視聴者の端末に視聴者の要求に応じて映像コンテンツを配信する映像コンテンツ配信サービスシステムにおいて、
カテゴリ毎に分類された映像コンテンツについて、視聴者によるアクセスに基く配信ポイントの順に映像コンテンツの映像情報をサーバから取得するステップと、
前記取得した映像情報をカテゴリ別且つ配信ポイントの順にコンテンツ選択画面に表示するステップと、
前記コンテンツ選択画面に表示された映像コンテンツの一つを選択するステップと、
を備えたことを特徴とする映像コンテンツ選択方法。
【請求項２】
ネットワークを介してサーバから視聴者の端末に視聴者の要求に応じて映像コンテンツを配信する映像コンテンツ配信サービスシステムにおいて、
カテゴリ毎に分類された映像コンテンツについて、視聴者によるアクセスに基く配信ポイントが最も多い映像コンテンツの映像情報及びダイジェスト映像をサーバから取得するステップと、
取得した映像情報を第１の選択画面のカテゴリ別映像情報表示・選択欄に表示するステップと、
取得したダイジェスト映像を前記第１の選択画面の映像表示欄に順次表示するステップと、
前記カテゴリ別映像情報表示・選択欄でカテゴリを選択するステップと、
選択されたカテゴリ内で映像コンテンツの２次選択対象情報の一つを指定するステップと、
前記指定された２次選択対象情報に基いて前記サーバから所定の映像コンテンツ群の各映像情報及びサムネイル画像をそれぞれ取得するステップと、
第２の選択画面に前記取得したコンテンツ群の映像情報及びサムネイル画像をそれぞれ表示するステップと、
前記第２の選択画面に表示されている映像情報及びサムネイル画像を基に映像コンテンツの一つを選択するステップと、
を備えたことを特徴とする映像コンテンツ選択方法。
【請求項３】
前記２次選択対象情報は、新着した映像コンテンツ群の選択情報、現時点におけるランキングによる映像コンテンツ群の選択情報、及び過去のランキングによる映像コンテンツ群の選択情報からなる、ことを特徴とする請求項２記載の映像コンテンツ選択方法。
【請求項４】
更に、前記映像コンテンツの配信ポイントを基に順位付けを行なって所定順位以下の映像コンテンツをストレージサービスの対象とした場合に、該ストレージサービスの対象となった映像コンテンツ群の選択情報を含むことを特徴とする請求項３記載の映像コンテンツ選択方法。
【請求項５】
ネットワークを介してサーバから視聴者の端末に視聴者の要求に応じて映像コンテンツを配信する映像コンテンツ配信サービスシステムであって、
前記サーバは、
データベースと、
視聴者の端末からネットワークを介して映像配信サービス要求を受信するサービス要求受信手段と、
各カテゴリ毎に配信ポイントの順に映像コンテンツの映像情報を所定数分前記データベースから読み出す映像情報読み出し手段と、
前記読み出した映像情報をネットワークを介してサービス要求元の端末に送信する選択情報送信手段と、
ネットワークを介してサービス要求送信元の端末から送信される映像コンテンツ指定情報を受信する指定情報受信手段と、
前記受信した映像コンテンツ指定情報に基いて指定された映像コンテンツのコンテンツデータを前記データベースから読み出すコンテンツデータ読み出し手段と、
読み出したコンテンツデータをネットワークを介して順次サービス要求元の端末に配信する映像配信手段と、
前記配信の際に配信ポイントをカウントする配信ポイントカウント手段と、
所定期間又は随時に、前記各カウント結果を各映像コンテンツが属するカテゴリ内においてそれぞれ比較する配信ポイント比較手段と、
前記比較結果により、各カテゴリ毎の各映像コンテンツの順位を変更して対応する映像コンテンツと関連付けて記憶する順位変更手段と、
を備え、
前記視聴者の端末は、
ネットワークを介して前記サーバに映像配信サービス要求を送信するサービス要求送信手段と、
前記サービス要求に基いて前記サーバから送信される映像情報を受信する映像情報受信手段と、
受信した映像情報を配信ポイントの順にカテゴリ別に設けられている映像情報表示・選択欄に表示する選択画面表示手段と、
前記映像情報表示・選択欄に表示されている映像情報を基にカテゴリと当該カテゴリに属する映像コンテンツを選択・指定するコンテンツ選択・指定手段と、
前記選択・指定された映像コンテンツの指定情報をネットワークを介して前記サーバに送信する指定情報送信手段と、
前記指定情報の送信により前記サーバから配信されるコンテンツデータを受信するコンテンツデータ受信手段と、
を備えた、
ことを特徴とする映像コンテンツ配信サービスシステム。
【請求項６】
ネットワークを介してサーバから視聴者の端末に視聴者の要求に応じて映像コンテンツを配信する映像コンテンツ配信サービスシステムであって、
前記サーバは、
データベースと、
視聴者の端末からネットワークを介して映像配信サービス要求を受信するサービス要求受信手段と、
各カテゴリ毎に第１順位の映像コンテンツの映像情報及びコンテンツデータを前記データベースから読み出す１位映像コンテンツ読み出し手段と、
前記読み出したコンテンツデータからダイジェスト映像データを生成するダイジェスト映像生成手段と、
前記読み出した映像情報及びダイジェスト映像データをネットワークを介してサービス要求元の端末に送信する１次選択情報送信手段と、
前記サービス要求元の端末から前記ネットワークを介して送信される選択されたカテゴリ情報と２次選択対象情報を含む２次送信要求を受信する２次送信要求受信手段と、
前記受信したカテゴリ情報の示すカテゴリについて前記２次選択対象情報が示す映像コンテンツ群から映像情報を前記順位に従ってメモリから読み出す映像情報読み出し手段と、
前記読み出した映像情報に対応するサムネイル画像データをメモリから読み出すサムネイル画像読み出し手段と、
前記読み出した映像情報及びサムネイル画像データをネットワークを介してサービス要求元の端末に送信する２次選択情報送信手段と、
ネットワークを介してサービス要求送信元の端末から送信される映像コンテンツ指定情報を受信する指定情報受信手段と、
前記受信した映像コンテンツ指定情報に基いて指定された映像コンテンツのコンテンツデータを前記データベースから読み出すコンテンツデータ読み出し手段と、
読み出したコンテンツデータをネットワークを介して順次サービス要求元の端末に配信する映像配信手段と、
前記配信の際に配信ポイントをカウントする配信ポイントカウント手段と、
所定期間又は随時に、前記各カウント結果を各映像コンテンツが属するカテゴリ内においてそれぞれ比較する配信ポイント比較手段と、
前記比較結果により、各カテゴリ毎の各映像コンテンツの順位を変更して対応する映像コンテンツと関連付けて記憶する順位変更手段と、
を備え、
前記視聴者の端末は、
ネットワークを介して前記サーバに映像配信サービス要求を送信するサービス要求送信手段と、
前記サービス要求に基いて前記サーバから送信される映像情報及びダイジェスト映像データを受信する１次選択情報受信手段と、
受信したカテゴリ別の映像情報をカテゴリ別に設けられている映像情報表示・選択欄にそれぞれ表示すると共に、各ダイジェスト映像をダイジェスト映像表示欄に順次表示する第１の選択画面表示手段と、
前記カテゴリ別映像情報表示・選択欄でカテゴリを選択すると共に、選択されたカテゴリ内で映像コンテンツの２次選択対象情報の一つを指定する２次選択対象情報選択・指定手段と、
前記指定された２次選択対象情報に基いて前記サーバから送信される映像コンテンツ群の各映像情報及びサムネイル画像データを受信する第２次情報受信手段と、
前記取得したコンテンツ群の映像情報及びサムネイル画像をそれぞれ表示する第２の選択画面表示手段と、
前記第２の選択画面に表示されている映像情報及びサムネイル画像を基に映像コンテンツの一つを選択・指定するコンテンツ選択・指定手段と、
前記選択・指定された映像コンテンツ指定情報をネットワークを介して前記サーバに送信する指定情報送信手段と、
前記指定情報の送信によりネットワークを介して前記サーバから配信されるコンテンツデータを受信するコンテンツデータ受信手段と、
を備えた、
ことを特徴とする映像コンテンツ配信サービスシステム。
【請求項７】
前記２次選択対象情報は、新着した映像コンテンツ群の選択情報、現時点におけるランキングによる映像コンテンツ群の選択情報、及び過去のランキングによる映像コンテンツ群の選択情報からなる、ことを特徴とする請求項６記載の映像コンテンツ配信サービスシステム。
【請求項８】
更に、前記映像コンテンツの配信ポイントを基に順位付けを行なって所定順位以下の映像コンテンツをストレージサービスの対象とした場合に、該ストレージサービスの対象となった映像コンテンツ群の選択情報を含むことを特徴とする請求項７記載の映像コンテンツ配信サービスシステム。
【請求項９】
前記映像コンテンツのカテゴリは、下記（イ）乃至（ニ）のカテゴリを含むことを特徴とする請求項５又は６に記載の映像コンテンツ配信サービスシステム；
（イ）  夜の歓楽街の各種店舗の外観、内部造作、商品配列、従業員、サービスの態様等のいずれかを含む映像及び／又は音声からなる情報；
（ロ）  地域の飲食店や企業、名物等の地域情報を含む映像及び／又は音声からなる情報；
（ハ）  カラオケ大会のメンバーや様子等のような各種遊興の様子や態様を含む映像及び／音声からなる情報；
（ニ）  日ごろの鬱憤や批判、喜怒哀楽を演じる人或いは動物の動作・態様を含む映像及び／音声からなる情報。
【請求項１０】
前記配信ポイントカウント手段はストレージサービスの対象となった映像コンテンツを送信する際には重み付けをしてカウントすることを特徴とする請求項５又は６に記載の映像コンテンツ配信サービスシステム。
【請求項１１】
前記映像コンテンツは、ビデオカメラユーザから提供されたビデオ映像データを配信用コンテンツデータに変換してなることを特徴とする請求項５又は６に記載の映像コンテンツ配信サービスシステム。
【請求項１２】
ネットワークを介してサーバから視聴者の端末に視聴者の要求に応じて映像コンテンツを配信する映像コンテンツ配信サービスシステムにおいて、サーバで実行されるプログラムであって、
視聴者の端末から前記ネットワークを介して映像コンテンツ配信サービス要求があったとき、各カテゴリ毎に第１順位の映像コンテンツの映像情報及びダイジェスト映像データをサービス要求元の端末に送信させるステップと、
前記サービス要求元の端末から前記ネットワークを介して選択されたカテゴリ情報と２次選択対象情報を含む２次選択情報送信要求があったとき、選択されたカテゴリについて前記２次選択対象情報が示す映像コンテンツ群の映像情報及びサムネイル画像データをネットワークを介してサービス要求元の端末に送信させるステップと、
ネットワークを介してサービス要求送信元の端末から送信される映像コンテンツ指定情報を受信させるステップと、
前記受信した映像コンテンツ指定情報に基いて指定された映像コンテンツのコンテンツデータをネットワークを介して順次サービス要求元の端末に配信させるステップと、
前記配信の際に配信ポイントをカウントさせるステップと、
所定期間又は随時に、前記各カウント結果を各映像コンテンツが属するカテゴリ内においてそれぞれ比較させるステップと、
前記比較結果により、各カテゴリ毎の各映像コンテンツの順位を変更させるステップと、
を備えたことを特徴とする表示順位変更プログラム。
【発明の詳細な説明】
【０００１】
【発明の属する技術分野】
本発明は、ビデオ映像等の動画（映像コンテンツ）の配信サービスを行う映像コンテンツ配信サービスシステムに関する。
【０００２】
【従来の技術】
ビデオ画像等の動画（映像コンテンツ）をインターネットを介してユーザの端末に配信する動画配信サービスシステムがある。
【０００３】
このような配信サービスシステムとしてインターネットを介してユーザとスポンサーが１対１で向き合いユーザにスポンサーからの広告を提供すると共にユーザの要求する動画コンテンツを無償で提供しようとするものがあり（特許文献１）、動画像の配信方法として、インターネットを介してユーザからの動画像の配信要求を基に、動画像を蓄積したデータベースから要求された動画像を取り出し、圧縮して要求元の端末に配信するようにしたものがある（特許文献２）。また、個別動画像配信サービスシステムとして、ユーザの要求に応じてユーザが必要とするプレーヤーやアーティストの動画像情報を供給するものがある。また、このサービスシステムでは配信ポイントをカウントして動画像データ毎に配信ポイントを算出し、ユーザからの要求が多い動画像データを収録し、所定のカテゴリにより分類してデータベース化して提供、販売可能としている（特許文献３）。
【０００４】
また、ネットワークを介して映像や音声などを視聴するときにデータを同時に再生できる技術があり、ストリーミング技法によればファイル全体をダウンロードするまで待たずに再生することができるので、データ量の大きな映像コンテンツを配信できる。ストリーミング技法を応用したものとしてブロードバンド回線に対応した映像・音声配信サービスがあり、デジタルビデオカメラで撮影した映像や、パソコンで編集した映像を高画質のままインターネット上で配信する、ストリーミング技法を用いた配信サービスがある（非特許文献１）。
【０００５】
【特許文献１】
特開２００２−４１９４１号公報
【特許文献２】
特開２００２−２３２８６０号公報
【特許文献３】
特開２００２−２７１７７４号公報
【非特許文献１】
＠ｓｔｒｅａｍｉｎｇの特長、［平成１４年１１月２５日検索］、インターネット＜ＵＲＬ：ｈｔｔｐ：／／ｓｔｒｅａｍ．ｎｉｆｔｙ．ｃｏｍ＞
【０００６】
【発明が解決しようとする課題】
ビデオカメラのユーザは自分が撮影した映像の発表の場を求める場合がある。そこで、あるビデオ映像事業者が特定のカテゴリの映像コンテンツを受付て無償で配信するようにし、運営コストを広告収入で補うようにすれば、映像コンテンツを提供したビデオユーザは金銭的負担なしに自分の撮影した映像の発表の場を得ることとなる。また、ビデオ映像配信サービス事業者にとっても映像を撮影する手間なしに広く映像コンテンツを集めて常時提供できるので番組に対する注目度を高めることが期待できる。
【０００７】
このようなサービスは上記特許文献１〜３の技術により実現できるが、これら技術によればユーザの要求により、データベースから要求されたビデオ画像等の動画（映像コンテンツ）を取り出して配信することとなり、そのためには予め視聴者が映像コンテンツの番組表を情報誌等で入手し、所望の映像コンテンツの識別番号等を端末から入力して配信要求を行うか、インターネット等のネットワーク上のＷｅｂサイトに番組表を表示し、所望の映像コンテンツを指定して配信要求を行う必要がある。
【０００８】
しかし、情報誌等で映像コンテンツの番組情報を得て送信要求を行う方法では映像撮影時と情報紙発売時（又は購入時）とのタイムラグにより、場合によっては新鮮味のうすれた映像コンテンツ情報が記載されていることがあるといった問題点や、情報誌を購入する手間がいるといった点や、情報誌を見て選ぶといった手間がかかる点や、番組表に記載されている映像コンテンツのうちどの映像コンテンツが一番人気があるか視聴ユーザにはわからないといった問題点がある。
【０００９】
また、Ｗｅｂサイトに番組表を表示し、所望の映像コンテンツを指定して配信要求する方法では、映像撮影時と情報紙発売時（又は購入時）とのタイムラグは少ないので新鮮味のある映像コンテンツを選択でき、情報誌を購入の手間が不用となるといった利点があるが、特許文献１〜３及び非特許文献１の技術を組み合わせても、番組表に記載されている映像コンテンツのうちどの映像コンテンツが一番人気があるか視聴ユーザにはわからないといった問題点は解消されない。
【００１０】
本発明は上記課題を解決するためになされたものであり、ビデオカメラのユーザが撮影した映像コンテンツをカテゴリ毎の人気に応じて表示し、視聴者が所望の映像コンテンツを簡単に選択し得る、映像コンテンツ選択方法、動画配信サービスシステム及び表示順位変更プログラムの提供を目的とする。
【００１１】
【課題を解決するための手段】
上記課題を解決するために、第１の発明の映像コンテンツ選択方法は、ネットワークを介してサーバから視聴者の端末に視聴者の要求に応じて映像コンテンツを配信する映像コンテンツ配信サービスシステムにおいて、カテゴリ毎に分類された映像コンテンツについて、視聴者によるアクセスに基く配信ポイントの順に映像コンテンツの映像情報をサーバから取得するステップと、取得した映像情報をカテゴリ別且つ配信ポイントの順にコンテンツ選択画面に表示するステップと、コンテンツ選択画面に表示された映像コンテンツの一つを選択するステップと、を備えたことを特徴とする。
【００１２】
また、第２の発明の映像コンテンツ選択方法は、ネットワークを介してサーバから視聴者の端末に視聴者の要求に応じて映像コンテンツを配信する映像コンテンツ配信サービスシステムにおいて、カテゴリ毎に分類された映像コンテンツについて、視聴者によるアクセスに基く配信ポイントが最も多い映像コンテンツの映像情報及びダイジェスト映像をサーバから取得するステップと、取得した映像情報を第１の選択画面のカテゴリ別映像情報表示・選択欄に表示するステップと、取得したダイジェスト映像を第１の選択画面の映像表示欄に順次表示するステップと、カテゴリ別映像情報表示・選択欄でカテゴリを選択するステップと、選択されたカテゴリ内で映像コンテンツの２次選択対象情報の一つを指定するステップと、指定された２次選択対象情報に基いてサーバから所定の映像コンテンツ群の各映像情報及びサムネイル画像データをそれぞれ取得するステップと、第２の選択画面に取得したコンテンツ群の映像情報及びサムネイル画像をそれぞれ表示するステップと、第２の選択画面に表示されている映像情報及びサムネイル画像を基に映像コンテンツの一つを選択するステップと、を備えたことを特徴とする。
【００１３】
また、第３の発明は上記第２の発明の映像コンテンツ選択方法において、２次選択対象情報は、新着した映像コンテンツ群の選択情報、現時点におけるランキングによる映像コンテンツ群の選択情報、及び過去のランキングによる映像コンテンツ群の選択情報からなる、ことを特徴とする。
【００１４】
また、第４の発明は上記第３の発明の映像コンテンツ選択方法において、更に、映像コンテンツの配信ポイントを基に順位付けを行なって所定順位以下の映像コンテンツをストレージサービスの対象とした場合に、該ストレージサービスの対象となった映像コンテンツ群の選択情報を含むことを特徴とする。
【００１５】
また、第５の発明の映像コンテンツ配信サービスシステムは、ネットワークを介してサーバから視聴者の端末に視聴者の要求に応じて映像コンテンツを配信する映像コンテンツ配信サービスシステムであって、サーバは、データベースと、視聴者の端末からネットワークを介して映像配信サービス要求を受信するサービス要求受信手段と、各カテゴリ毎に配信ポイントの順に映像コンテンツの映像情報を所定数分データベースから読み出す映像情報読み出し手段と、読み出した映像情報をネットワークを介してサービス要求元の端末に送信する選択情報送信手段と、ネットワークを介してサービス要求送信元の端末から送信される映像コンテンツ指定情報を受信する指定情報受信手段と、受信した映像コンテンツ指定情報に基いて指定された映像コンテンツのコンテンツデータをデータベースから読み出すコンテンツデータ読み出し手段と、読み出したコンテンツデータをネットワークを介して順次サービス要求元の端末に配信する映像配信手段と、配信の際に配信ポイントをカウントする配信ポイントカウント手段と、所定期間又は随時に、各カウント結果を各映像コンテンツが属するカテゴリ内においてそれぞれ比較する配信ポイント比較手段と、比較結果により、各カテゴリ毎の各映像コンテンツの順位を変更して対応する映像コンテンツと関連付けて記憶する順位変更手段と、を備え、視聴者の端末は、ネットワークを介してサーバに映像配信サービス要求を送信するサービス要求送信手段と、サービス要求に基いてサーバから送信される映像情報を受信する映像情報受信手段と、受信した映像情報を配信ポイントの順序にカテゴリ別に設けられている映像情報表示・選択欄に表示する選択画面表示手段と、映像情報表示・選択欄に表示されている映像情報を基にカテゴリと当該カテゴリに属する映像コンテンツを選択・指定するコンテンツ選択・指定手段と、選択・指定された映像コンテンツの指定情報をネットワークを介してサーバに送信する指定情報送信手段と、指定情報の送信によりサーバから配信されるコンテンツデータを受信するコンテンツデータ受信手段と、を備えた、ことを特徴とする。
【００１６】
また、第６の発明の映像コンテンツ配信サービスシステムは、ネットワークを介してサーバから視聴者の端末に視聴者の要求に応じて映像コンテンツを配信する映像コンテンツ配信サービスシステムであって、サーバは、データベースと、視聴者の端末からネットワークを介して映像配信サービス要求を受信するサービス要求受信手段と、各カテゴリ毎に第１順位の映像コンテンツの映像情報及びコンテンツデータをデータベースから読み出す１位映像コンテンツ読み出し手段と、読み出したコンテンツデータからダイジェスト映像データを生成するダイジェスト映像生成手段と、読み出した映像情報及びダイジェスト映像データをネットワークを介してサービス要求元の端末に送信する１次選択情報送信手段と、サービス要求元の端末からネットワークを介して送信される選択されたカテゴリ情報と２次選択対象情報を含む２次送信要求を受信する２次送信要求受信手段と、受信したカテゴリ情報の示すカテゴリについて２次選択対象情報が示す映像コンテンツ群から映像情報を順位に従ってメモリから読み出す映像情報読み出し手段と、読み出した映像情報に対応するサムネイル画像データをメモリから読み出すサムネイル画像読み出し手段と、読み出した映像情報及びサムネイル画像データをネットワークを介してサービス要求元の端末に送信する２次選択情報送信手段と、ネットワークを介してサービス要求送信元の端末から送信される映像コンテンツ指定情報を受信する指定情報受信手段と、受信した映像コンテンツ指定情報に基いて指定された映像コンテンツのコンテンツデータをデータベースから読み出すコンテンツデータ読み出し手段と、読み出したコンテンツデータをネットワークを介して順次サービス要求元の端末に配信する映像配信手段と、配信の際に配信ポイントをカウントする配信ポイントカウント手段と、所定期間又は随時に、各カウント結果を各映像コンテンツが属するカテゴリ内においてそれぞれ比較する配信ポイント比較手段と、比較結果により、各カテゴリ毎の各映像コンテンツの順位を変更して対応する映像コンテンツと関連付けて記憶する順位変更手段と、を備え、視聴者の端末は、ネットワークを介してサーバに映像配信サービス要求を送信するサービス要求送信手段と、サービス要求に基いてサーバから送信される映像情報及びダイジェスト映像データを受信する１次選択情報受信手段と、受信したカテゴリ別の映像情報をカテゴリ別に設けられている映像情報表示・選択欄にそれぞれ表示すると共に、各ダイジェスト映像をダイジェスト映像表示欄に順次表示する第１の選択画面表示手段と、カテゴリ別映像情報表示・選択欄でカテゴリを選択すると共に、選択されたカテゴリ内で映像コンテンツの２次選択対象情報の一つを指定する２次選択対象情報選択・指定手段と、指定された２次選択対象情報に基いてサーバから送信される映像コンテンツ群の各映像情報及びサムネイル画像データを受信する第２次情報受信手段と、取得したコンテンツ群の映像情報及びサムネイル画像をそれぞれ表示する第２の選択画面表示手段と、第２の選択画面に表示されている映像情報及びサムネイル画像を基に映像コンテンツの一つを選択・指定するコンテンツ選択・指定手段と、選択・指定された映像コンテンツ指定情報をネットワークを介してサーバに送信する指定情報送信手段と、指定情報の送信によりネットワークを介してサーバから配信されるコンテンツデータを受信するコンテンツデータ受信手段と、を備えた、ことを特徴とする。
【００１７】
また、第７の発明は上記第６の発明の映像コンテンツ配信サービスシステムにおいて、２次選択対象情報は、新着した映像コンテンツ群の選択情報、現時点におけるランキングによる映像コンテンツ群の選択情報、及び過去のランキングによる映像コンテンツ群の選択情報からなる、ことを特徴とする。
【００１８】
また、第８の発明は上記第７の発明の映像コンテンツ配信サービスシステムにおいて、更に、映像コンテンツの配信ポイントを基に順位付けを行なって所定順位以下の映像コンテンツをストレージサービスの対象とした場合に、該ストレージサービスの対象となった映像コンテンツ群の選択情報を含むことを特徴とする。
【００１９】
また、第９の発明は上記第５又は第６の発明の映像コンテンツ配信サービスシステムにおいて、映像コンテンツのカテゴリは、下記（イ）乃至（ニ）のカテゴリを含むことを特徴とする；
（イ）  夜の歓楽街の各種店舗の外観、内部造作、商品配列、従業員、サービスの態様等を含む映像及び／又は音声からなる情報；
（ロ）  地域の飲食店や企業、名物等の地域情報を含む映像及び／又は音声からなる情報；
（ニ）  カラオケ大会のメンバーや様子等のような各種遊興の様子や態様を含む映像及び／音声からなる情報；
（ホ）  日ごろの鬱憤や批判、喜怒哀楽を演じる人或いは動物の動作・態様を含む映像及び／音声からなる情報。
【００２０】
また、第１０の発明は上記第５又は第６の発明の映像コンテンツ配信サービスシステムにおいて、配信ポイントカウント手段はストレージサービスの対象となった映像コンテンツを送信する際には重み付けをしてカウントすることを特徴とする。
【００２１】
また、第１１の発明は上記第５又は第６の発明の映像コンテンツ配信サービスシステムにおいて、映像コンテンツは、ビデオカメラユーザから提供されたビデオ映像データを配信用コンテンツデータに変換してなることを特徴とする。
【００２２】
また、第１２の発明の表示順位変更プログラムは、ネットワークを介してサーバから視聴者の端末に視聴者の要求に応じて映像コンテンツを配信する映像コンテンツ配信サービスシステムにおいて、サーバで実行されるプログラムであって、視聴者の端末からネットワークを介して映像コンテンツ配信サービス要求があったとき、各カテゴリ毎に第１順位の映像コンテンツの映像情報及びダイジェスト映像データをサービス要求元の端末に送信させるステップと、サービス要求元の端末からネットワークを介して選択されたカテゴリ情報と２次選択対象情報を含む２次選択情報送信要求があったとき、選択されたカテゴリについて２次選択対象情報が示す映像コンテンツ群の映像情報及びサムネイル画像データをネットワークを介してサービス要求元の端末に送信させるステップと、ネットワークを介してサービス要求送信元の端末から送信される映像コンテンツ指定情報を受信させるステップと、受信した映像コンテンツ指定情報に基いて指定された映像コンテンツのコンテンツデータをネットワークを介して順次サービス要求元の端末に配信させるステップと、配信の際に配信ポイントをカウントさせるステップと、所定期間又は随時に、各カウント結果を各映像コンテンツが属するカテゴリ内においてそれぞれ比較させるステップと、比較結果により、各カテゴリ毎の各映像コンテンツの順位を変更させるステップと、を備えたことを特徴とする。
【００２３】
【発明の実施の形態】
図１は映像コンテンツ配信サービスシステムのネットワーク構成例を示す図であり、映像コンテンツ配信サービス用ネットワークシステム１００は、データベース（図４）を備えたサーバ１と視聴者の端末２−１、２−２、２−３、・・・（以下、端末２と記す）を接続するネットワーク３（実施例ではネットワークをインターネット３として説明するがインターネットに限定されない。例えば、ＬＡＮでもよい）とからなる。また、端末２として、インターネット接続機能を備えた、パソコン、携帯電話、表示端末等の情報端末を用いることができる。
【００２４】
なお、ビデオ配信サービス事業者５がビデオ配信用データ加工業者にビデオ投稿者から投稿されたビデオ映像を配信用の映像コンテンツへの加工を依頼している場合はビデオ配信用データ加工業者の端末もインターネット３に接続するように構成することが望ましい。
【００２５】
図１で、ビデオ映像投稿者４が（店舗等の会員を介して）ビデオ配信サービス事業者５宛てに下記（１）〜（４）のいずれかのカテゴリに入るビデオ映像を記憶した媒体（ビデオテープ等）を投稿すると、ビデオ配信サービス事業者５又はビデオ配信サービス事業者５から委託を受けたビデオ配信用データ加工業者６はビデオ映像をデジタルデータ化して、加工、編集し、ストリーミングビデオ用の映像コンテンツデータ（映像データ及び音声データ（以下、コンテンツデータ））及びサムネイル画像データを生成し、サーバ１にアップロードする。
【００２６】
（カテゴリ）
（１）夜の歓楽街の各種店舗の外観、内部造作、商品配列、従業員、サービスの態様等を含む映像及び／又は音声からなる情報；
（２）地域の飲食店や企業、名物等の地域情報を含む映像及び／又は音声からなる情報；
（３）カラオケ大会のメンバーや様子等のような各種遊興の様子や態様を含む映像及び／音声からなる情報；
（４）日ごろの鬱憤や批判、喜怒哀楽を演じる人或いは動物の動作・態様を含む映像及び／音声からなる情報。
【００２７】
なお、映像コンテンツのカテゴリの一例を上記（イ）〜（ニ）として示したが本発明における映像コンテンツのカテゴリは上記（イ）〜（ニ）に限定されない。
【００２８】
また、視聴者が端末２を起動してインターネット上に開設されたビデオ配信サービス事業者５のＷｅｂサイト（映像コンテンツ配信サービスＨＰ）にリンクすると、サーバ１はＨＰ（ホームページ）として図８に示すような１次選択画面を表示して視聴者に視聴しようとする映像コンテンツのカテゴリ及び新着情報からの映像コンテンツの選択か、現時点でのランキングによる映像コンテンツの選択か、履歴（過去のランキング）による映像コンテンツの選択かの選択を促す。
【００２９】
１次選択画面にはカテゴリ別に配信ポイントのランキング１位の映像コンテンツのダイジェスト映像が表示される。ユーザが選択を行うと図９に示すような２次選択画面が示される。
【００３０】
２次選択画面には選択されたカテゴリ内で配信ポイントに基くランキングが１位〜２０位（１〜２０位に限定されない）までの映像コンテンツのサムネイル画像及び映像情報（映像コンテンツの説明や紹介文）が表示され、視聴者に映像コンテンツの選択を促す。視聴者が映像コンテンツを選択すると、サーバ１は選択された映像コンテンツのコンテンツデータをその視聴者の端末２にインターネット３を介して配信する。
【００３１】
ここで、ビデオ配信サービス事業者５は１次選択画面や２次選択画面に掲載される広告（バナー広告）の掲載料を運営収入とし、映像コンテンツは無償で視聴者の端末２に配信される。
【００３２】
サーバ１は映像コンテンツの配信時に配信ポイントをカウントし所定期間（常時又は定期的）毎に各カテゴリ内の映像コンテンツの配信ポイントをカウントし、順位付けを行い、選択画面上での並び替えを行う。なお、配信ポイントはサーバ１のログ情報を所定期間（常時又は定期的）毎に収集し、アクセス回数を配信ポイントとして順位付け、選択画面上での並び替えを行うようにしてもよい。
【００３３】
また、配信順位が２１位以下（２１位以下に限定されない）の映像コンテンツをストレージサービス対象のコンテンツとし、無償配信の対象とせず有償配信としてもよい。この場合、上述したカテゴリにストレージサービス対象の映像コンテンツを加えるようにし、このカテゴリの映像コンテンツが視聴者に選択された場合には、配信ポイントのカウント時に重みを付けてカウントを行うようにし、順位を無償配信の映像コンテンツより優先させるようにしてもよい。
【００３４】
従来のストリーミングビデオ配信サービスでは、視聴（閲覧）前に人気のある映像か人気のない映像かを視聴者が見分けることができなかったが、上記図１に示したビデオ配信サービスシステム（図２以下の説明で詳述）によれば配信ポイントを基にランキングを変動させることによって視聴前に人気のある映像と人気のない映像を視聴者が見分けることができる。
【００３５】
図２はサーバの構成例を示すブロック図であり、ＣＰＵ、ＲＡＭ及びＲＯＭを備えサーバ１全体の動作を制御する制御部１１、インターネット３を介して視聴者の端末２（複数）とのデータの授受を行う入出力部１２、データベース５０への会員登録処理を行う登録部１３、データベース５０とのデータの授受を行うＤＢアクセス部１４、データベース５０に格納されているコンテンツデータから映像（動画）を抽出し、ダイジェスト映像（動画）を生成するダイジェスト生成部１５、所定期間（常時又は定期的）毎にカテゴリ別にカテゴリ内の各映像コンテンツの配信ポイントを比較して配信ポイントの多い順に順序（ランキング）を更新して映像コンテンツと対応付ける順序更新部１６と、カテゴリ毎に各映像コンテンツの配信ポイントを計算する配信ポイントカウント部１７とを備えている。
【００３６】
なお、順序更新部１６での配信ポイントの比較は、例えば、配信ポイントカウント部１７のカウント値を各カテゴリ毎に昇順にソート（順序の並び替え）することによって行うことができる。また、配信ポイントカウント部１７に代えてサーバ１のログ情報を所定期間（常時又は定期的）毎に収集し、アクセス回数を求めるアクセス回数算出部を設けるようにしてもよい。
【００３７】
図３はデータベースの構成例を示す図であり、データベース５０は会員の氏名、住所、電話番号等の基本情報やパスワード、課金額等からなる会員データを複数格納してなる会員登録ファイル５１、映像コンテンツの説明や紹介及び映像コンテンツにかかわる管理情報等からなる映像情報を格納する映像情報ファイル５２、映像情報と関連付けられたコンテンツデータを格納してなるコンテンツデータファイル５３、映像情報と関連付けられたサムネイル画像を格納してなるサムネイル画像ファイル５４、現時点でのランキングをコンテンツデータに関連付けて記憶したランキングデータ５５、過去のランキングをコンテンツデータに関連付けて記憶した履歴データ５６、新着のコンテンツデータのポインタを記憶した新着情報５７、課金を行う場合に課金明細を記憶する課金ファイル５８を備えている。
【００３８】
なお、会員ファイル５１に登録する会員は店舗等、映像コンテンツ配信サービスにより直接広告効果等の利益を享受する者や視聴者等である。また、コンテンツデータはデータベース５０に格納時には圧縮されて格納される。
【００３９】
図４は視聴者の端末の構成例を示すブロック図であり、視聴者の端末２はパソコンや携帯電話、表示端末等の情報端末であり、図示のように、制御部２１、メモリ２２、キー入力部２３、データ送受信部２４及び表示部２５等を備えている。
【００４０】
制御部２１はＣＰＵ、ＲＡＭ及びＲＯＭを備え、ＣＰＵは端末２全体の動作を制御する。ＲＡＭ及びＲＯＭは端末２にインストール又はダウンロードされている圧縮データ伸張プログラムやその他の各種プログラム群や後述する１次選択画面や２次選択画面のフォーマットデータやその他の各種データを記憶する。
【００４１】
キー入力部２３は表示部２５に表示される選択用ボタンの指定操作や確認操作及びデータ入力の際に視聴者によって操作される。キー入力部２３が操作されると操作されたキーに対応するコード（電気信号）が制御部２１に送られる。
【００４２】
データ送受信部２４はインターネット３を介してサーバ１との間で各種データを送受信する。なお、端末２が携帯電話の場合はデータ送受信部２４は無線データを授受する無線データ送受信部とする。
【００４３】
表示部２５は図８、図９に示すような選択画面や選択した映像コンテンツ（動画像）を表示するほか、各種データを表示する。なお、表示部２５に代えて、映像インターフェイスを介して接続される外部テレビ受信装置（図示せず）を用いるようにしてもよい。
【００４４】
図５は映像コンテンツ配信サービス要求時に端末側に表示される選択画面等の関係を示す図である。
【００４５】
図５（ａ）は１次選択画面であり、配信ポイントによって各カテゴリ毎に１位にランク付けされた映像コンテンツのダイジェスト映像が順に表示される。視聴者は、視聴したい映像コンテンツのカテゴリ及び選択対象の映像コンテンツ群を選択する。つまり、新着コンテンツ群、現時点のランキング（配信ポイントに基く順序）による映像コンテンツ群、履歴（過去のランキング）による映像コンテンツ群のいずれかのうちで、視聴者が視聴したい映像コンテンツが含まれているコンテンツの選択ボタンを選択する。１次選択画面の具体例を図８に示す。なお、Ｗｅｂサイトでは１次選択画面はホームページで兼用される。
【００４６】
また、図５（ｂ）、図５（ｃ）、図５（ｄ）は２次選択画面であり、図５（ｂ）は選択されたカテゴリの新着コンテンツ群からの映像コンテンツの選択画面、図５（ｃ）は選択されたカテゴリの現時点のランキングの映像コンテンツ群からの映像コンテンツの選択画面、図５（ｄ）は選択されたカテゴリの履歴による映像コンテンツ群からの映像コンテンツの選択画面である。
【００４７】
各２次画面にはほぼ同一のフォーマットで配信ポイントによってランク付けされた映像コンテンツの１位から所定順位（実施例では２０位までとしたが１〜２０位に限定されない）までのサムネイル画像及び映像情報のうち映像の説明や紹介記事等がランク順に一覧表示される。視聴者は所望のコンテンツのサムネイル画像或いは表示されている映像情報を指定することにより映像コンテンツを選択することができる。
【００４８】
図５（ｅ）は選択された映像コンテンツの表示画面である。選択されたカテゴリの中の選択対象のコンテンツ群から選ばれた映像コンテンツ（圧縮データ）がサーバ１から端末２に配信され、伸張処理されて表示部２５に表示される。これにより、視聴者は所望の映像コンテンツ、例えば、最も人気のあるレストランの紹介ビデオ映像を視聴することができる。
【００４９】
図６はサーバの動作を示すフローチャートである。
サーバ１の制御部１１は、視聴者の端末２からインターネット３を経由して送信される映像コンテンツ配信サービス要求をデータ入出力部１２を介して受信するとステップＳ２に進み、そうでない場合はステップＳ５に進む（ステップＳ１）。
【００５０】
映像コンテンツ配信サービス要求を受信すると、制御部１１は、ＤＢアクセス部１４によりデータベース５０からカテゴリ別に最も配信ポイントの多い映像情報とコンテンツデータを取り出し（ステップＳ２）、ダイジェスト生成部１５でカテゴリ別のコンテンツデータからそれぞれダイジェスト映像データを生成し（ステップＳ３）、ステップＳ２で取り出した各映像情報とステップＳ３で生成したダイジェスト映像データをカテゴリ別に対応付けて記憶した１次選択用データをデータ入出力部１２を介してインターネット３経由でサービス要求送信元の端末２宛て送信する（ステップＳ４）。
【００５１】
次に、制御部１１は、端末２からインターネット３を経由して送信される２次送信要求（選択された、カテゴリ情報及び選択対象コンテンツ群情報を含む）をデータ入出力部１２を介して受信するとステップＳ６に進み、そうでない場合はステップＳ８に進む（ステップＳ５）。
【００５２】
２次送信要求を受信すると、制御部１１は、ＤＢアクセス部１４によりデータベース５０から、選択されたカテゴリの中の選択された選択対象コンテンツ群の中で、配信ポイントによる順位（ランク）が１位から２０位までの映像コンテンツの、映像情報及びサムネイル画像を取り出し（ステップＳ６）、取り出した１位から２０位までの、映像情報及びサムネイル画像を含む２次選択用データをデータ入出力部１２を介してインターネット３経由で２次送信要求送信元の端末２宛て送信する（ステップＳ７）。
【００５３】
次に、制御部１１は、端末２からインターネット３を経由して送信される映像コンテンツ指定情報をデータ入出力部１２を介して受信するとステップＳ９に進み、そうでない場合はステップＳ１２に進む（ステップＳ８）。
【００５４】
映像コンテンツ指定情報を受信すると、制御部１１は、ＤＢアクセス部１４によりデータベース５０から指定された映像コンテンツのコンテンツデータを取り出し（ステップＳ９）、取り出したコンテンツデータをデータ入出力部１２を介してインターネット３経由でコンテンツ指定情報送信元の端末２宛て送信する（ステップＳ１０）。
【００５５】
次に、配信ポイントカウント部１７によりカテゴリ毎に各映像コンテンツの配信ポイントを計算する。例えば、各映像コンテンツ別にカウンタを設け配信された映像コンテンツに対応するカウンタに所定の値のポイントを加算するようにする。実施例では映像コンテンツの配信毎に対応するカウンタに１を加えているがこれに限定されない。例えば、ストレージサービスを行う場合はストレージされた映像コンテンツが配信されると対応するカウンタに２を加えるといったように、カテゴリによって重み付けを行ってポイント加算を行うようにしてもよい（ステップＳ１１）。
【００５６】
次に、制御部１１は所定期間（例えば、１日）を経過したか否かを調べ、所定期間を経過した場合はステップＳ１３に進み、そうでない場合はステップＳ１に戻る（ステップＳ１２）。
【００５７】
次に、順序更新部１６により、更新前のランクでデータベース５０の履歴データ５６のうち最も古い履歴データを更新し、カテゴリ別にカテゴリ内の各映像コンテンツの配信ポイントを比較して配信ポイントの多い順に順序（ランキング）を付けて更新後のランクでデータベース５０のランキングデータ５５を更新し、各カウンタを０クリアしてステップＳ１に戻る。なお、履歴データ及びランキングデータはそれぞれ各履歴情報と対応付けられる（ステップＳ１３）。
【００５８】
上記図６のフローチャートの構成により、映像コンテンツが配信されるとその映像コンテンツの配信ポイントが増え、カテゴリ内の順位が上がるので、人気の高い映像カテゴリほど上位のランクとなり、視聴の機会が増すこととなる。また、聴取の機会が増すことにより選択画面を見る機会が増えるので広告の注目率が向上し、広告収入が安定するので映像配信システムの運営に寄与する。
【００５９】
なお、上記図６のステップＳ１２で所定期間が到来したか否かを調べることにより、ステップＳ１３での順位更新が定期的に行われることとなるが、定期的ではなく、随時、又は常時順位更新を行うようにしてもよい。常時順位更新を行う場合、つまり、リアルタイムに順位更新を行う場合には上記ステッップＳ１２は不要となる。
【００６０】
図７は端末の動作を示すフローチャートである。
端末２が起動されると、制御部２１は、初期画面（図示せず）にメニューを表示し、聴視者がメニューのうち映像コンテンツ配信サービスを選択すると、端末２の制御部２１はデータ送受信部２４を介してインターネット経由で映像コンテンツ配信サービス要求（データ）をサーバ１に送信する（ステップＴ１）。
【００６１】
次に、制御部２１は、サーバ１から送信される１次選択用データ（カテゴリ別に配信ポイントが１位の映像コンテンツの映像データとそのダイジェスト映像データ）をインターネット３経由でデータ送受信部２４を介して受信すると（ステップＴ２）、図８に示すようにカテゴリ別映像情報表示・選択欄８１に受信した１次選択用データに含まれている映像情報のうちの映像コンテンツの紹介からなるテキストデータ部分をカテゴリに対応付けて表示し、更に、１次選択画面８０のダイジェスト映像表示欄８５に１次選択用データに含まれているカテゴリ別のダイジェスト映像を順次表示すると共に、表示されているダイジェスト映像の説明や紹介からなるテキストデータを１次選択画面８０の説明文表示欄８６に表示した１次選択画面８０を表示してカテゴリの選択を促す（ステップＴ３）。
【００６２】
視聴者がキー入力部２３のキーを操作してカーソルをカテゴリ別映像情報表示・選択欄８１のカテゴリ別選択欄８１−１、８１−２、８１−３又は８１−４のいずれかの欄に移動させるとカーソルの位置するカテゴリ別選択欄のカテゴリが選択される（ステップＴ４）。
【００６３】
次に、視聴者がキー入力部２３のキーを操作してカテゴリ別選択欄に設けられている選択対象コンテンツ群指定ボタン８２、８３、８４のうちのいずれか一つを指定すると対応する選択対象コンテンツ群の選択が決定する（ステップＴ５）。
【００６４】
次に、制御部２１は上記ステップＴ４で選択されたカテゴリの識別情報と上記ステップＴ５で決定された選択対象コンテンツ群の識別情報を含む２次送信要求をデータ送受信部２４を介してインターネット経由でサーバ１に送信する（ステップＴ６）。
【００６５】
次に、サーバ１から送信される２次選択用データ（配信ポイントによる順位（ランク）が１位から２０位までの映像コンテンツの映像情報及びサムネイル画像）を受信すると（ステップＴ７）、ランク順にサムネイル画像と対応する映像情報に含まれている説明や紹介用のテキストデータを図９に示すように一覧表示して視聴者に選択を促す（ステップＴ８）。
【００６６】
視聴者が表示されているサムネイル画像又はテキストをカーソル等で指定すると指定されたサムネイル画像又はテキストに対応する映像コンテンツが選択される（ステップＴ９）。
【００６７】
制御部２１は、上記ステップＴ９で指定された映像コンテンツの識別情報を含む映像コンテンツ指定情報をデータ送受信部２４を介してインターネット経由でサーバ１に送信する（ステップＴ１０）。
【００６８】
次に、制御部２１は、サーバ１から送信されるコンテンツデータ（圧縮データ）をインターネット３経由でデータ送受信部２４を介して受信すると（ステップＴ１１）、伸張プログラムに従って圧縮されたコンテンツデータを伸張して映像を復元し、表示部２５に表示する（ステップＴ１２）。
【００６９】
上記図７のフローチャートに示す構成により、視聴者は、まず、１次選択画面で最も人気のあるビデオ映像の説明や紹介を読んだり、ダイジェスト画面をみてからカテゴリと選択対象のコンテンツ群を選び、次に表示される２次選択画面で配信ポイント順に一覧表示されたサムネイル画像と説明文や紹介文を見て表示する映像コンテンツを選択できるので、簡単な操作で人気のあるコンテンツを選択することができる。
【００７０】
図８は第１次選択画面の一実施例を示す図であり、第１次選択画面８０で、符号８１はカテゴリ別映像情報表示・選択欄を意味し、符号８１−１は個別のカテゴリ別選択欄を意味し、当該カテゴリ中で配信ポイントが最も多い（つまり、１位の）映像コンテンツの情報表示欄である。
【００７１】
具体的には、図８で、符号８１−１は、夜の歓楽街の各種店舗の外観、内部造作、商品配列、従業員、サービスの態様等を含む映像及び／又は音声からなるコンテンツのうち配信ポイントが１位の映像コンテンツの説明や紹介を意味する文字情報が表示される欄を意味する。また、符号８１−２は、地域の飲食店や企業、名物等の地域情報を含む映像及び／又は音声からなるコンテンツのうち配信ポイントが１位の映像コンテンツの説明や紹介を意味する文字情報が表示される欄を意味する。また、符号８１−３は、カラオケ大会のメンバーや様子等のような各種遊興の様子や態様を含む映像及び／音声からなるコンテンツのうち配信ポイントが１位の映像コンテンツの説明や紹介を意味する文字情報が表示される欄を意味する。また、符号８１−４は、日ごろの鬱憤や批判、喜怒哀楽を演じる人或いは動物の動作・態様を含む映像及び／音声からなるコンテンツのうち配信ポイントが１位の映像コンテンツの説明や紹介を意味する文字情報が表示される欄を意味する。
【００７２】
また、カテゴリ別選択欄８１−１、８１−２、８１−３、８１−４の内部の符号８２、８３、８４は選択対象コンテンツ選択ボタンを意味し、符号８２は新着情報からの映像コンテンツ群からなる２次選択画面の選択ボタン、符号８２は現時点でのランキングによる映像コンテンツ群からなる２次選択画面の選択ボタン、符号８４は履歴（過去のランキング）による映像コンテンツ群の選択ボタンを意味する。
【００７３】
符号８５はカテゴリ別選択欄８１−１、８１−２、８１−３、８１−４で情報が表示されている映像コンテンツのダイジェスト映像を表示する映像表示欄であり、カテゴリ別のダイジェスト映像が順繰りに表示される。
【００７４】
符号８６はダイジェスト映像表示欄８５に表示されたダイジェスト映像を補足する説明欄であり、説明用のメッセージが表示される。
【００７５】
また、符号８７は広告表示欄であり、実施例では複数のバナー広告を表示しているが、広告表示欄８７に表示される広告はバナー広告に限定されない。
【００７６】
なお、上記図８ではカテゴリ別映像情報表示・選択欄８１に４つのカテゴリの映像情報を表示できるようにカテゴリ別選択欄８１−１、８１−２、８１−３、８１−４を設けたが、カテゴリは４つに限定されない。カテゴリを増やす場合にはカテゴリ別映像情報表示・選択欄８１の中のカテゴリ別選択欄を増やせばよい。
【００７７】
図９は第２次選択画面の一実施例を示す図であり、符号９１は配信ポイントが１位から２０位までの映像コンテンツの映像から抽出し、生成したサムネイル画像表示欄を意味し、符号９２は帯域選択ボタンを意味し、符号９３は配信ポイントが１位から２０位までの映像コンテンツの紹介や説明用のメッセージが表示されるメッセージ表示欄を意味する。また、符号９４−１、９４−２は配信ポイントが１位からｎ位（ｎ＞２０）までの映像コンテンツを第２次選択画面で選択可能に構成した場合に用いるスクロール用のスクロールボタンを意味する。
【００７８】
図９で、帯域選択ボタン９１−Ｉを選択するとブロードバンドでのデータ送受信に対応でき、符号９１−Ｌを選択するとＬＡＮのような狭帯域でのデータ送受信に対応できる。図９の例は図８でカテゴリ別選択欄８１−１が選択され、更に、選択ボタン８３が操作された例である。今、視聴者が順位１位のサムネイル画像１を選択するとレストラン○○のビデオ映像が表示される。また、順位３のメッセージ欄９３を選択すると託児所○△○○のビデオ映像が表示される。
【００７９】
以上、本発明の一実施例について説明したが本発明は上記実施例に限定されるものではなく、種々の変形実施が可能であることはいうまでもない。
【００８０】
【発明の効果】
上記説明したように、本発明によれば映像コンテンツの配信回数を基に得た配信ポイント順に映像コンテンツ情報のランク（順位）を変動させてコンテンツ選択画面に表示するので、視聴者はどの映像コンテンツが人気があるかを一目で知ることができる。
【図面の簡単な説明】
【図１】映像コンテンツ配信サービスシステムのネットワーク構成例を示す図である。
【図２】サーバの構成例を示すブロック図である。
【図３】データベースの構成例を示す図である。
【図４】視聴者の端末の構成例を示すブロック図である。
【図５】映像コンテンツ配信サービス要求時に端末側に表示される選択画面等の関係を示す図である。
【図６】サーバの動作を示すフローチャートである。
【図７】端末の動作を示すフローチャートである。
【図８】第１次選択画面の一実施例を示す図である。
【図９】第２次選択画面の一実施例を示す図である。
【符号の説明】
１  サーバ
２  端末
３  インターネット（ネットワーク）
１２  データ入出力部（サービス要求受信手段、選択情報送信手段、指定情報受信手段、コンテンツデータ読み出し手段、映像配信手段、１次選択情報送信手段、２次送信要求受信手段、２次選択情報送信手段、指定情報受信手段）
１４  ＤＢアクセス手段（映像情報読み出し手段、１位映像コンテンツ読み出し手段）
１５  ダイジェスト生成部（ダイジェスト映像生成手段）
１６  順序更新部（配信ポイント比較手段、順位変更手段）
１７  配信ポイントカウント部（配信ポイントカウント手段）
２４  データ送受信部（サービス要求送信手段、映像情報受信手段、指定情報送信手段、コンテンツデータ受信手段、１次選択情報受信手段、２次情報受信手段）
２５  表示部（選択画面表示手段、第１の選択画面表示手段、第２の選択画面表示手段）
５０  データベース
８０  １次選択画面
８１  カテゴリ別映像情報表示・選択画面
８５  映像表示欄
９０  ２次選択画面（コンテンツ選択画面）
【図１】
2004186830.tif 000003
【図２】
2004186830.tif 000004
【図３】
2004186830.tif 000005
【図４】
2004186830.tif 000006
【図５】
2004186830.tif 000007
【図６】
2004186830.tif 000008
【図７】
2004186830.tif 000009
【図８】
2004186830.tif 000010
【図９】
2004186830.tif 000011
【手続補正書】
【提出日】平成14年12月9日(2002.12.9)
【手続補正１】
【補正対象書類名】図面
【補正対象項目名】全図
【補正方法】変更
【補正の内容】
【図１】
2004186830.tif 000012
【図２】
2004186830.tif 000013
【図３】
2004186830.tif 000014
【図４】
2004186830.tif 000015
【図５】
2004186830.tif 000016
【図６】
2004186830.tif 000017
【図７】
2004186830.tif 000018
【図８】
2004186830.tif 000019
【図９】
2004186830.tif 000020